(57)【要約】【課題】  本発明の目的は、ユーザ側から認識できる光ディスク媒体の記録可能容量を増すことが可能な光ディスク装置、光ディスク情報記録方法及び光ディスク装置に使用される光ディスク媒体を提供することにある。【解決手段】  光ディスク媒体は、データ領域とシステム領域とを備える。データ領域は、複数のボーダ付き領域が設定され、ユーザデータが記録される。システム領域は、テスト記録エリアと記録制御情報エリアとユーザデータリードインエリアとを含む。テスト記録エリアは、データ領域への記録における最適記録条件を設定するために試し記録が行われる。記録制御情報エリアは、データ領域にユーザデータを記録するために必要な記録制御情報が記録される。ユーザデータリードインエリアは、ユーザデータが記録された光ディスク媒体を再生するために使用される。光ディスク媒体は、複数のボーダ付き領域のうち最内周のボーダ付き領域を除くボーダ付き領域の内周端近傍に記録制御情報が記録されるボーダ記録制御情報エリアが設定される。【選択図】  図５
2005310322.tif 000002
【特許請求の範囲】
【請求項１】
複数のボーダ付き領域が設定され、ユーザデータが記録されるデータ領域と、
システム領域とを備え、
前記システム領域は、
前記データ領域への前記記録における最適記録条件を設定するために試し記録が行われるテスト記録エリアと、
前記データ領域に前記ユーザデータを記録するために必要な記録制御情報が記録される記録制御情報エリアと、
前記ユーザデータが記録された光ディスク媒体を再生するために使用されるユーザデータリードインエリアとを含み、
前記複数のボーダ付き領域のうち最内周のボーダ付き領域を除くボーダ付き領域の内周端近傍に前記記録制御情報が記録されるボーダ記録制御情報エリアが設定される光ディスク媒体。
【請求項２】
請求項１に記載の光ディスク媒体において、
前記記録制御情報エリアは、
基本情報エリアと、
拡張時情報エリアと
を備え、
前記データ領域に新たな前記ボーダ記録制御情報エリアが設定されるとき、前記拡張時情報エリアに前記新たな前記ボーダ記録制御情報エリアの位置情報を含む記録制御情報が記録される光ディスク媒体。
【請求項３】
請求項２に記載の光ディスク媒体において、
前記基本情報エリアは、前記複数のボーダ付き領域のうち最内周のボーダ付き領域にユーザデータ記録を行う時の記録制御情報が記録される光ディスク媒体。
【請求項４】
請求項１から請求項３のいずれかに記載の光ディスク媒体において、
前記複数のボーダ付き領域のうち最内周のボーダ付き領域を除くボーダ付き領域がクローズされるとき、前記クローズされるボーダ付き領域の内周端近傍に設定されるボーダ記録制御情報エリアに含まれる、情報が記録されていない領域にダミーデータが記録され、
前記最内周のボーダ付き領域がクローズされるとき、前記基本情報エリアに含まれる、情報が記録されていない領域にダミーデータが記録される光ディスク媒体。
【請求項５】
複数のボーダ付き領域が設定されてユーザデータが記録されるデータ領域とシステム領域とを備える光ディスク媒体に情報を記録する光ディスク装置であって、
前記システム領域は、
前記データ領域に記録するときの最適記録条件を設定するために試し記録されるテスト記録エリアと、
前記データ領域にユーザデータを記録するために必要な記録制御情報が記録される記録制御情報エリアと、
前記ユーザデータが記録された光ディスク媒体を再生するために必要となるユーザデータリードインエリアとを含み、
前記複数のボーダ付き領域のうち最内周のボーダ付き領域を除くボーダ付き領域の内周端近傍にボーダ記録制御情報エリアを設定して前記記録制御情報を記録する光ディスク装置。
【請求項６】
請求項５に記載の光ディスク装置において、
前記記録制御情報エリアは、
基本情報エリアと、
拡張時情報エリアと
を備え、
前記データ領域に新たな前記ボーダ記録制御情報エリアを設定するとき、前記新たな前記ボーダ記録制御情報エリアの位置情報を含む記録制御情報を前記拡張時情報エリアに記録する光ディスク装置。
【請求項７】
請求項６に記載の光ディスク装置において、
前記複数のボーダ付き領域のうち最内周のボーダ付き領域にユーザデータ記録を行う時の記録制御情報を前記基本情報エリアに記録する光ディスク装置。
【請求項８】
請求項５から請求項７のいずれかに記載の光ディスク装置において、
前記複数のボーダ付き領域のうち最内周のボーダ付き領域を除くボーダ付き領域をクローズするとき、前記クローズするボーダ付き領域の内周端近傍に設定されるボーダ記録制御情報エリアに含まれる、情報が記録されていない領域にダミーデータを記録し、
前記最内周のボーダ付き領域をクローズするとき、前記基本情報エリアに含まれる、情報が記録されていない領域にダミーデータを記録する光ディスク装置。
【請求項９】
複数のボーダ付き領域が設定され、ユーザデータが記録されるデータ領域とシステム領域とを備える光ディスク媒体に情報を記録する光ディスク情報記録方法であって、
前記システム領域は、
前記データ領域に前記記録における最適記録条件を設定するために試し記録されるテスト記録エリアと、
前記データ領域にユーザデータを記録するために必要な記録制御情報が記録される記録制御情報エリアと、
前記ユーザデータが記録された光ディスク媒体を再生するために使用されるユーザデータリードインエリアとを含み、
前記複数のボーダ付き領域のうち最内周のボーダ付き領域を除くボーダ付き領域の内周端近傍にボーダ記録制御情報エリアを設定するステップと、
前記ボーダ記録制御情報エリアに前記記録制御情報を記録するステップと
を具備する光ディスク情報記録方法。
【請求項１０】
請求項９に記載の光ディスク情報記録方法において、
前記記録制御情報エリアは、
基本情報エリアと、
拡張時情報エリアと
を備え、
前記データ領域に新たな前記ボーダ記録制御情報エリアが設定されるとき、前記拡張時情報エリアに前記新たな前記ボーダ記録制御情報エリアの位置情報を含む記録制御情報を記録するステップを具備する光ディスク情報記録方法。
【請求項１１】
請求項１０に記載の光ディスク情報記録方法において、
前記複数のボーダ付き領域のうち最内周のボーダ付き領域にユーザデータ記録を行う時の記録制御情報を前記基本情報エリアに記録するステップを具備する光ディスク情報記録方法。
【請求項１２】
請求項９から請求項１１のいずれかに記載の光ディスク情報記録方法において、
前記複数のボーダ付き領域のうち最内周のボーダ付き領域を除くボーダ付き領域がクローズされるとき、前記クローズされるボーダ付き領域の内周端近傍に設定されるボーダ記録制御情報エリアに含まれる、情報が記録されていない領域にダミーデータを記録するステップと、
前記最内周のボーダ付き領域がクローズされるとき、前記基本情報エリアに含まれる、情報が記録されていない領域にダミーデータを記録するステップと
を具備する光ディスク情報記録方法。
【発明の詳細な説明】
【技術分野】
【０００１】
本発明は、光ディスク装置に関し、特に微小な光スポットによりデータの記録再生を行う記録型光ディスク装置および記録型光ディスク装置に使用される光ディスク媒体に関する。
【背景技術】
【０００２】
微小な光スポットによりデータの記録再生を行う光ディスク分野において、予めエンボス状のデータピット列が形成された再生専用のＲＯＭ（Ｒｅａｄ  Ｏｎｌｙ  Ｍｅｍｏｒｙ）媒体に続いて、データの記録が出来る光ディスクであるＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）が広く普及している。また、記録されたデータを書き換えることも可能なＣＤ−ＲＷ（ＣＤ−ＲｅＷｒｉｔａｂｌｅ）やＤＶＤ−ＲＷ（ＤＶＤ−ＲｅＷｒｉｔａｂｌｅ）と呼ばれる光ディスク媒体もある。ここではデータの記録が可能な光ディスク媒体を総称して記録型光ディスク媒体と呼ぶ。
【０００３】
記録型光ディスク媒体は、光ディスク基板にトラッキングのためのスパイラル状のグルーブトラックを形成し、その上に有機材料などによる多層の記録層を形成する。この記録層に高いパワーのレーザ光を集光して部分的に変質させて記録ピットを形成することで、データを記録する。記録後は、エンボス状のデータピット列が形成されたＲＯＭ媒体と同じ構成のデータフォーマットで、ほぼ同じ特性のサーボ信号を得ることができるので、再生専用のドライブ装置でも容易に再生できる利点がある。
【０００４】
また、ＤＶＤ−Ｒでは、ユーザデータに対して、アドレスなどのデータＩＤやエラー訂正符号などの付加情報を加えたフォーマットに変換して、一連の連続したデータとして光ディスク媒体に記録する。この連続記録したフォーマットはＤＶＤ−ＲＯＭのフォーマットと同じである。
【０００５】
ただし、ＤＶＤ−ＲＯＭとまったく同じフォーマットであると、一度しか記録出来ないことになるため、何回かデータを加えていけるようなマルチセッション、マルチボーダと呼ばれるような記録方式も設定されている。この場合は、ユーザデータの後にデータ位置の情報などを記録したボーダーエリアという特殊データを記録して、その後からさらにユーザデータの記録を行うものである。再生装置は、このデータ位置情報を利用しながらユーザデータを再生することになる。
【０００６】
以下のように、ＣＤ−ＲＷまたはＤＶＤ−ＲＡＭのような再書込可能なタイプの記録担体に書き込む方法と書込装置、読み出し装置に関する技術が知られる。
【０００７】
特表２０００−５０４４６２号公報によれば、書込装置は、書込ユニットと位置決め手段とが設けられている。書込ユニットは、再書込可能型の記録担体にトラックパターンにて情報ブロックを書き込むべく、記録担体のエリアに電磁放射ビームにより情報ブロックを表すマークを書き込む。位置決め手段は、書込ユニットを記録担体のトラック構造に基づいて位置決めする。トラック構造がトラックパターンを有する。このような書込装置において、第１検出手段と、第２検出手段と、初期化手段とを有することを特徴とする技術が知られる。第１検出手段は、情報ブロックを書き込むために使用されている記録担体のエリアを検出する。第２検出手段は、使用されているエリアに隣接する未書込境界エリアを検出する。初期化手段は、未書込境界エリアにダミー情報を書き込む。
【０００８】
特表２０００−５０４４６３号公報によれば、書込み装置は、書込み可能型の記録担体上のトラックパターンに情報ブロックを書込む。この書込み装置には、書込みユニットと位置決め手段とが設けられている。書込みユニットは、情報ブロックを表すマークを電磁放射ビームを介して記録担体の領域に書込む。位置決め手段は、トラックパターンを表すトラック構造に基づいて書込みユニットを記録担体上で位置決めする。この書込み装置に、記録担体の少なくとも１つの領域に書込みが行なわれているという事実を表す状態情報を発生する状態手段が設けられる。この状態情報は、情報ブロックを書込むためのトラックパターン領域の開始部から延在し、中断なく書込まれた初期領域を表す初期領域情報を有するようにしたことを特徴とする書込み装置である。
【０００９】
【特許文献１】特表２０００−５０４４６２号公報
【特許文献２】特表２０００−５０４４６３号公報
【発明の開示】
【発明が解決しようとする課題】
【００１０】
本発明の目的は、ユーザ側から認識できる光ディスク媒体の記録可能容量を増すことが可能な光ディスク装置、光ディスク情報記録方法及び光ディスク装置に使用される光ディスク媒体を提供することにある。
【００１１】
本発明の他の目的は、追加記録できる回数を多く確保できる光ディスク装置、光ディスク情報記録方法及び光ディスク装置に使用される光ディスク媒体を提供することにある。
【００１２】
また、本発明の他の目的は、光ディスク媒体に記録されたユーザデータを再生するときのアクセス時間が短縮される光ディスク装置、光ディスク情報記録方法及び光ディスク装置に使用される光ディスク媒体を提供することにある。
【課題を解決するための手段】
【００１３】
以下に、［発明を実施するための最良の形態］で使用される番号・符号を用いて、課題を解決するための手段を説明する。これらの番号・符号は、［特許請求の範囲］の記載と［発明を実施するための最良の形態］との対応関係を明らかにするために付加されたものである。ただし、それらの番号・符号を、［特許請求の範囲］に記載されている発明の技術的範囲の解釈に用いてはならない。
【００１４】
本発明の観点では、光ディスク媒体（６）は、データ領域（２３）とシステム領域（２２）とを備える。データ領域（２３）は、複数のボーダ付き領域（３１−０〜２）が設定され、ユーザデータが記録される。前記システム領域（２２）は、テスト記録エリア（２６）と記録制御情報エリア（２７）とユーザデータリードインエリア（２８）とを含む。テスト記録エリア（２６）は、前記データ領域（２３）への前記記録における最適記録条件を設定するために試し記録が行われる。記録制御情報エリア（２７）は、前記データ領域（２３）に前記ユーザデータを記録するために必要な記録制御情報が記録される。ユーザデータリードインエリア（２８）は、前記ユーザデータが記録された光ディスク媒体（６）を再生するために使用される。光ディスク媒体（６）は、前記複数のボーダ付き領域（３１−０〜２）のうち最内周のボーダ付き領域（３１−０）を除くボーダ付き領域（３１−１〜２）の内周端近傍に前記記録制御情報が記録されるボーダ記録制御情報エリア（３５−１〜２）が設定される。
【００１５】
本発明の光ディスク媒体（６）において、前記記録制御情報エリア（２７）は、基本情報エリア（４１）と拡張時情報エリア（４２）とを備える。前記データ領域（２３）に新たな前記ボーダ記録制御情報エリア（３５−１〜２）が設定されるとき、前記拡張時情報エリア（４２）に前記新たな前記ボーダ記録制御情報エリア（３５−１〜２）の位置情報を含む前記記録制御情報が記録される。
【００１６】
本発明の光ディスク媒体（６）において、前記基本情報エリア（４１）は、前記複数のボーダ付き領域（３１−０〜２）のうち最内周のボーダ付き領域（３１−０）にユーザデータ記録を行なう時の記録制御情報が記録される。
【００１７】
本発明の光ディスク媒体（６）において、前記複数のボーダ付き領域（３１−０〜２）のうち最内周のボーダ付き領域（３１−０）を除くボーダ付き領域（３１−１〜２）がクローズされるとき、前記クローズされるボーダ付き領域（３１−１〜２）の内周端近傍に設定されるボーダ記録制御情報エリア（３５−１〜２）に含まれる、情報が記録されていない領域にダミーデータが記録される。前記最内周のボーダ付き領域（３１−０）がクローズされるとき、前記基本情報エリア（４１）に含まれる、情報が記録されていない領域にダミーデータが記録される。
【００１８】
本発明の他の観点では、光ディスク装置（４）は、光ディスク媒体（６）に情報を記録する。光ディスク媒体（６）は、複数のボーダ付き領域（３１−０〜２）が設定されてユーザデータが記録されるデータ領域（２３）とシステム領域（２２）とを備える。システム領域（２２）は、テスト記録エリア（２６）と記録制御情報エリア（２７）とユーザデータリードインエリア（２８）とを含む。テスト記録エリア（２６）は、前記データ領域（２３）に記録するときの最適記録条件を設定するために試し記録される。記録制御情報エリア（２７）は、前記データ領域（２３）にユーザデータを記録するために必要な記録制御情報が記録される。ユーザデータリードインエリア（２８）は、前記ユーザデータが記録された光ディスク媒体（６）を再生するために使用される。
【００１９】
本発明の光ディスク装置（４）において、前記記録制御情報エリア（２７）は、基本情報エリア（４１）と拡張時情報エリア（４２）とを備える。前記データ領域（２３）に新たな前記ボーダ記録制御情報エリア（３５−１〜２）を設定するとき、光ディスク装置（４）は、前記新たな前記ボーダ記録制御情報エリアの位置情報を含む記録制御情報を前記拡張時情報エリア（４２）に記録する。
【００２０】
本発明の光ディスク装置（４）は、前記複数のボーダ付き領域（３１−０〜２）のうち最内周のボーダ付き領域（３１−０）にユーザデータ記録を行う時の記録制御情報を前記基本情報エリア（４１）に記録する。
【００２１】
本発明の光ディスク装置（４）は、前記複数のボーダ付き領域（３１−０〜２）のうち最内周のボーダ付き領域（３１−０）を除くボーダ付き領域（３１−１〜２）をクローズするとき、前記クローズするボーダ付き領域（３１−１〜２）の内周端近傍に設定されるボーダ記録制御情報エリア（３５−１〜２）に含まれる、情報が記録されていない領域にダミーデータを記録する。また、本発明の光ディスク装置（４）は、前記最内周のボーダ付き領域（３１−０）をクローズするとき、前記基本情報エリア（４１）に含まれる、情報が記録されていない領域にダミーデータを記録する。
【００２２】
また、本発明の他の観点では、光ディスク情報記録方法は、光ディスク媒体（６）に情報を記録する方法である。光ディスク媒体（６）は、複数のボーダ付き領域（３１−０〜２）が設定され、ユーザデータが記録されるデータ領域（２３）とシステム領域（２２）とを備える。システム領域（２２）は、テスト記録エリア（２６）と記録制御情報エリア（２７）とユーザデータリードインエリア（２８）とを含む。テスト記録エリア（２６）は、前記データ領域（２３）に記録するときの最適記録条件を設定するために試し記録される。記録制御情報エリア（２７）は、前記データ領域（２３）にユーザデータを記録するために必要な記録制御情報が記録される。ユーザデータリードインエリア（２８）は、前記ユーザデータが記録された光ディスク媒体（６）を再生するために使用される。光ディスク情報記録方法は、設定するステップと記録するステップとを具備する。設定するステップは、前記複数のボーダ付き領域（３１−０〜２）のうち最内周のボーダ付き領域（３１−０）を除くボーダ付き領域（３１−１〜２）の内周端近傍にボーダ記録制御情報エリア（３５−１〜２）を設定する。記録するステップは、前記ボーダ記録制御情報エリア（３５−１〜２）に前記記録制御情報を記録する。
【００２３】
本発明の光ディスク情報記録方法において、前記記録制御情報エリア（２７）は、基本情報エリア（４１）と拡張時情報エリア（４２）とを備える。光ディスク情報記録方法は、前記データ領域（２３）に新たな前記ボーダ記録制御情報エリア（３５−１〜２）が設定されるとき、前記拡張時情報エリア（４２）に前記新たな前記ボーダ記録制御情報エリア（３５−１〜２）の位置情報を含む記録制御情報を記録するステップを具備する。
【００２４】
本発明の光ディスク情報記録方法は、前記複数のボーダ付き領域（３１−０〜２）のうち最内周のボーダ付き領域（３１−０）にユーザデータ記録を行う時の記録制御情報を前記基本情報エリア（４１）に記録するステップを具備する。
【００２５】
本発明の光ディスク情報記録方法は、前記複数のボーダ付き領域（３１−０〜２）のうち最内周のボーダ付き領域（３１−０）を除くボーダ付き領域（３１−１〜２）がクローズされるとき、前記クローズされるボーダ付き領域（３１−１〜２）の内周端近傍に設定されるボーダ記録制御情報エリア（３５−１〜２）に含まれる、情報が記録されていない領域にダミーデータを記録するステップを具備する。さらに本発明の光ディスク情報記録方法は、前記最内周のボーダ付き領域（３１−０）がクローズされるとき、前記基本情報エリア（４１）に含まれる、情報が記録されていない領域にダミーデータを記録するステップを具備する。
【発明の効果】
【００２６】
本発明によれば、ユーザ側から認識できる光ディスク媒体の記録可能容量を増すことが可能な光ディスク装置、光ディスク情報記録方法及び光ディスク装置に使用される光ディスク媒体を提供することができる。
【００２７】
また、本発明によれば、追加記録できる回数を多く確保できる光ディスク装置、光ディスク情報記録方法及び光ディスク装置に使用される光ディスク媒体を提供することができる。
【００２８】
さらに、本発明によれば、光ディスク媒体に記録されたユーザデータを再生するときのアクセス時間が短縮される光ディスク装置、光ディスク情報記録方法及び光ディスク装置に使用される光ディスク媒体を提供することができる。
【発明を実施するための最良の形態】
【００２９】
以下に図面を参照して、本発明の光ディスク装置と光ディスク媒体、それを用いるデータ記録システムについて説明する。図１は、本発明のデータ記録システムの構成を示す図である。光ディスク装置４は、ＤＶＤディスクのような光ディスク媒体６がセットされ、ホスト装置２からの命令に従ってデータを光ディスク媒体６に記録し、光ディスク媒体からデータを読み出す。また光ディスク装置４は、書き込みを始める前にホスト装置２からの命令に応答して書き込み条件を確認調整するトレーニング処理を実行する。
【００３０】
図２は、本発明の第１の実施の形態に係る光ディスク装置４の構成を示している。図２を参照して、光ディスク装置の構成を説明する。第１の実施の形態の光ディスク装置４は、ＣＰＵ１０、アクセス部１２、ディスクコントローラ１４、エンコーダ１６、デコーダ１８、回転駆動系２０とを備える。
【００３１】
ＣＰＵ１０は、光ディスク装置４の全体の動作を制御する。ＣＰＵ１０は、ホスト装置２と命令、通知やデータを交換し、ディスクコントローラ１４及びエンコーダ１６、デコーダ１８を制御する。また、必要な演算を行う。
【００３２】
アクセス部１２は、レーザ光を用いて、データを光ディスク媒体６に書き込み、また光ディスク媒体６からデータを読み出す。アクセス部１２は当業者には良く知られているものである。回転駆動系２０は、光ディスク媒体６がセットされたとき、入力命令に応答して光ディスク媒体６を回転させるように駆動する。
【００３３】
ディスクコントローラ１４は、光ディスク媒体６に対しての回転・レーザ制御・データの読み出し／書き込みを行うようにアクセス部１２と回転駆動系２０を制御する。ディスクコントローラ１４は、ＣＰＵ１０からの命令に従って、光ディスク媒体６が回転されるように回転駆動系２０を駆動する。また、ディスクコントローラ１４は、ＣＰＵ１０からの命令に従って、アクセス部１２の位置を制御する。また、書き込みモードと読み出しモードでのアクセス部１２の動作を制御する。書き込みモードでは、ディスクコントローラ１４は、エンコーダ１６から供給されるデータを光ディスク媒体６に書き込むようにアクセス部１２を制御する。アクセス部１２はレーザ光を放射してデータを光ディスク媒体６に書き込む。また、読み出しモードでは、ディスクコントローラ１４は、光ディスク媒体６からデータを読み出すようにアクセス部１２を制御する。アクセス部１２はレーザ光を放射して光ディスク媒体６からデータを読み出す。読み出されたデータは、ディスクコントローラ１４を通ってデコーダ１８に供給される。
【００３４】
エンコーダ１６は、ＣＰＵ１０からの命令に応答して、ユーザデータをエンコード処理し、例えばＤＶＤではＥＣＣブロック（１６セクタ）単位の書き込みデータを生成する。生成した書き込みデータは、ディスクコントローラ１４に供給される。
【００３５】
デコーダ１８は、ＣＰＵ１０からの命令に応答して、ＥＣＣブロック（１６セクタ）単位で光ディスク媒体６から読み出されたデータのデコード処理を行う。次世代のＤＶＤではＥＣＣブロックが３２セクタに拡大されるようなものも提案されている。
【００３６】
ＤＶＤ−ＲやＤＶＤ−ＲＷなどの記録型光ディスク媒体６は、光ディスク基板にトラッキングのためのスパイラル状のグルーブトラックが形成されている。その上に有機材料などによる多層の記録層が形成されている。この記録層に高いパワーのレーザ光を集光して部分的に変質させて記録ピットを形成し、データを記録する。記録後は、エンボスによる光ディスクＲＯＭ媒体（ＤＶＤ−ＲＯＭなど）と同じ構成のデータフォーマットとなる。また、光ディスクＲＯＭ媒体とほぼ同じ特性のサーボ信号を得ることができるので、再生専用のドライブ装置でも容易に再生できる利点がある。
【００３７】
記録型の光ディスク媒体６は、図３に示されるように、内側から同心円状にシステム領域２２、データ領域２３、リードアウト領域（図示せず）を備えている。
【００３８】
システム領域２２は、ディスクの情報及び利用者記録済みトラックの情報を含む記録動作や再生動作に必要なシステム情報を記録する。この領域には、ディスクを制御する情報を記録する領域や、記録条件テストをするための領域も確保されている。
【００３９】
リードアウト領域は、ディスクの終了を示す領域である。リードアウト領域が検出されると、光ディスク媒体の終了が認識されることになる。
【００４０】
データ領域２３は、システム領域２２の外側にあり、ユーザデータを記録する。データ領域２３には、スパイラル状の記録トラック２４が形成されている。
【００４１】
これらのデータ構造は、図４に示されるように、１次元で表現することができる。図４は、ディスク面の領域配置を、半径方向に沿って図示したものであり、左側がディスク内周方向で右側が外周方向になっている。内周側にあるシステム領域２２は、光ディスク装置が記録や再生をする場合に必要となるシステムの制御情報、光ディスク媒体上のデータの配置情報などが記録される領域である。システム領域２２は、ユーザデータリードインエリア２８、記録制御情報エリア２７、テスト記録エリア２６の３エリアに大別できる。
【００４２】
ユーザデータリードインエリア２８は、最もデータ領域２３側に配置される。この領域には、主に記録済みの記録型光ディスク媒体を、再生専用光ディスク装置で再生するために必要となるシステムの制御情報が記録されている。
【００４３】
記録制御情報エリア２７は、主に記録型の装置がユーザデータをデータ領域２３に記録するための情報である、データ領域２３内の次の記録可能位置やテスト記録エリア２６の使用状況などの情報が記載される。データ領域２３に記録された量が増えるにともなって、このエリアの情報も順次更新される。したがって、内周側から外周側に向かって所定の単位で新たな情報を書き加えられる。
【００４４】
テスト記録エリア２６は、記録するときの最適条件を探すための試し記録を行うエリアである。データ領域２３での記録条件を最適化するため、パワーや記録波形などを変化させて試し記録を行う。テスト記録エリア内をどのような順番で使用してもよいが、一般には、外周側から使用されることが多い。
【００４５】
このような光ディスク媒体６において、その終了化以前に再生専用装置でも記録されたデータを再生することができるように、即ち交換性を確保するためにボーダ領域が設けられる。このボーダ領域により区切られる領域は、ボーダ付き領域と称される。
【００４６】
図５を参照して、光ディスク媒体６における領域の配置を説明する。システム領域２２には、記録制御情報エリア２７とユーザデータリードインエリア２８とテスト記録エリア２６（図示せず）が備えられる。データ領域２３には、ボーダ付き領域３１−０〜２が各々ボーダ領域３３−０〜２により区切られて配置される。ボーダ領域３３−０とボーダ付き領域３１−１との間にボーダ記録制御情報エリア３５−１、ボーダ領域３３−１とボーダ付き領域３１−２との間にボーダ記録制御情報エリア３５−２が配置される。即ち、最内周のボーダ付き領域３１−０以外のボーダ付き領域３１−１〜２の内周端にボーダ記録制御情報エリア３５−１〜２が配置される。
【００４７】
ボーダ記録制御情報エリア３５−１には、ボーダ付き領域３１−１にユーザデータを記録するときに必要な記録制御情報が順次記録され、ボーダ記録制御情報エリア３５−２には、ボーダ付き領域３１−２にユーザデータを記録するときに必要な記録制御情報が順次記録される。ここでは、説明を簡単にするため、ボーダ付き領域３１−１〜２とボーダ記録制御情報エリア３５−１〜２とを分離して説明しているが、ボーダ付き領域３１−１〜２の内周端の一部がボーダ記録制御情報エリア３５−１〜２として使用されているとしてもよい。
【００４８】
システム領域２２に配置される記録制御情報エリア２７は、基本情報エリア４１と拡張時情報エリア４２とを含む。基本情報エリア４１には、最内周のボーダ付き領域３１−０にユーザデータを記録するときに記録制御情報が記録される。拡張時情報エリア４２には、ボーダ記録制御情報エリア３５が設定されるときにボーダ記録制御情報エリア３５の位置（アドレス）などを含む記録制御情報が記録される。拡張時情報エリア４２に記録される記録制御情報は、図６に示されるように、開始アドレス５２、終了アドレス５３、ボーダ記録制御情報５５などを含むことが好ましい。このように拡張時情報エリアに記録する記録制御情報は特別な構成とすることが可能である。
【００４９】
一方、通常、基本情報エリアやボーダ記録情報制御エリアに記録する記録制御情報の構成の中に、このようなボーダ記録制御情報エリアのアドレス情報を記載する項目を設けておけば、特別な構成別に設定する必要がなくなるメリットがある。この場合は、新たなボーダ記録情報制御エリアが設定されたとき、それまで使用していた基本情報エリアまたはボーダ記録情報制御エリアに最新の記録制御情報を記録すると同時に、同じものを拡張時情報エリアに記録すればよい。
【００５０】
ボーダ記録制御情報エリア３５−１〜２の位置が特定できれば、ボーダ付き領域３１−１〜２にユーザデータが記録されるときの記録制御情報は、ボーダ記録制御情報エリア３５−１〜２を参照すると取得することができる。そのため、拡張時情報エリア４２への記録は新たなボーダ記録制御情報エリアが設定された時のみでよい。
【００５１】
このような形式に配置する記録動作について、図７を参照して説明する。光ディスク媒体が光ディスク装置に装着されると、記録制御情報エリア２７から最新の情報を読み取る。すでに一部ユーザデータの記録がなされている場合は、最終記録済み位置の後から追加記録をするように制御される（ステップＳ２１）。
【００５２】
ユーザデータは、内周側から外周側に向かって記録されていく。最内周のボーダ付き領域３１−０にユーザデータを記録する場合、ボーダ付き領域３１−０にユーザデータを記録するとともに、基本情報エリア４１に記録制御情報を記録する（ステップＳ２３）。１区切りのユーザデータが記録終了するまで繰り返し（ステップＳ２５−ＮＯ）、ボーダ付き領域３１−０にユーザデータが記録される。１区切りのユーザデータが記録終了すると（ステップＳ２５−ＹＥＳ）、ボーダクローズ処理を行う（ステップＳ２７）。
【００５３】
ボーダクローズ処理では、記録されたユーザデータに続けてボーダリードアウトを記録する。また、ステップＳ２７は最内周のボーダクローズ処理であるため、記録制御情報エリア２７にある基本情報エリア４１に残留する未記録部分にダミーデータを記録し、記録された領域が連続するようにする。
【００５４】
次のユーザデータを記録する場合はボーダリードインを記録した後、次のボーダ付き領域３１−１のボーダ記録制御情報エリア３５−１を設定する。ボーダ記録制御情報エリア３５−１の容量は、ホスト装置２から指示を受けてもよいし、光ディスク装置４に予め設定されていてもよい。ボーダ記録制御情報エリア３５−１が設定されたとき、ボーダ記録制御情報エリア３５−１が設定されたことを示すために、記録制御情報エリア２７にある拡張時情報エリア４２にボーダ記録制御情報エリア３５−１の記録制御情報４４を記録する（ステップＳ３１）。
【００５５】
ボーダ記録制御情報エリア３５−１を確保した後、ボーダ付き領域３１−１にユーザデータを記録していくとともに、ボーダ記録制御情報エリア３５−１に記録制御情報３６を記録する（ステップ３３）。ユーザデータの記録が終了するまで記録を続ける（ステップＳ３５−ＮＯ）。ユーザデータの記録が終了すると（ステップＳ３５−ＹＥＳ）、ボーダ付き領域３１−１のボーダクローズ処理を行う。
【００５６】
ボーダ付き領域３１−１のクローズ処理では、記録されたユーザデータに続けてボーダリードアウトが記録される。また、ボーダ付き領域３１−１に記録するときの記録制御情報は、ボーダ記録制御情報エリア３５−１に記録されるため、ボーダ記録制御情報エリア３５−１に残留する未記録部分にダミーデータを記録し、記録された領域が連続するようにする（ステップＳ３７）。
【００５７】
ボーダ付き領域３１−１をクローズした後、さらに追加記録する場合は（ステップＳ４１）、次のボーダ付き領域に記録していく。光ディスク媒体６への記録が全て完了して追加記録することがない場合（ステップＳ４１−ＹＥＳ）、ディスククローズ処理をする。ディスククローズは、ホスト装置２から指示される。
【００５８】
ディスククローズ処理では、最後のボーダ領域に続けてユーザデータリードアウトを記録して光ディスク媒体６の記録の終わりを示す。また、記録制御情報エリア２７の拡張時情報エリア４２に残留する未記録領域にダミーデータを記録して記録された領域が連続するようにする（ステップＳ４７）。
【００５９】
このように、ボーダ付き領域の内周端近傍にボーダ記録制御情報エリアが設けられ、ボーダ記録制御情報エリアが拡張されたことが拡張時情報エリアに記録される。ユーザデータを記録するときの記録制御情報が設けられたボーダ記録制御情報エリアに記録される。再生するときには、拡張時情報エリアを参照してボーダ記録情報エリアの存在位置を確認してアクセスする。ボーダ付き領域のユーザデータと記録制御情報は、全てボーダ付き領域をアクセスすることで取得することができ、光ディスク媒体の各所に情報が分散されているものに比較してアクセスが速くなる。また、システム領域に確保される記録制御情報エリアは、ボーダ記録制御情報エリアに分散されることになる。したがって、データ領域に必要になる分だけボーダ記録制御情報エリアとして確保され、システム領域として予め確保される領域が削減できるため、データ領域を拡大できる。また、全てのボーダ記録情報エリアの情報は、拡張時情報エリアに集中して管理できるため、各ボーダ付き領域の情報が一括管理しやすくなる。
【図面の簡単な説明】
【００６０】
【図１】本発明の光ディスクシステムの構成を示す図である。
【図２】本発明の光ディスク装置の構成を示す図である。
【図３】本発明の光ディスク媒体の構成を示す図である。
【図４】本発明の光ディスク媒体の論理構成を示す図である。
【図５】本発明の光ディスク媒体のデータ領域の構成を示す図である。
【図６】本発明のボーダ記録制御情報エリアの記録制御情報の構成を示す図である。
【図７】本発明の記録動作を示すフローチャートである。
【符号の説明】
【００６１】
２  ホスト装置
４  光ディスク装置
６  光ディスク媒体
１０  ＣＰＵ
１２  アクセス部
１４  ディスクコントローラ
１６  エンコーダ
１８  デコーダ
２０  回転駆動系
２２  システム領域
２３  データ領域
２４  記録トラック
２６  テスト記録エリア
２７  記録制御情報エリア
２８  ユーザデータリードインエリア
３１−０〜２  ボーダ付き領域
３３−０〜２  ボーダ領域
３５−１〜２  ボーダ記録制御情報エリア
３６  記録制御情報
４１  基本情報エリア
４２  拡張時情報エリア
４４  記録制御情報
【図１】
2005310322.tif 000003
【図２】
2005310322.tif 000004
【図３】
2005310322.tif 000005
【図４】
2005310322.tif 000006
【図５】
2005310322.tif 000007
【図６】
2005310322.tif 000008
【図７】
2005310322.tif 000009